(57)【要約】【課題】画像変倍制御機能と余白制御機能と画像回転制御機能を有機的に複合して制御を行うことにより所望の余白を画質を落とさずに自動的に得るようにしたデジタル複写機を提供する。【解決手段】連続してロール状に巻かれた転写紙をカットして原稿よりの画像を複写するデジタル複写機であって、原稿より読み取った画像を変倍する画像変倍制御手段と、原稿よりの画像を複写する際に所望の余白を形成する余白制御手段と、原稿よりの画像を回転させて複写する画像回転制御手段とを有し、画像変倍制御と余白制御と画像回転制御とを有機的に複合して制御を行うことにより所望の余白を自動的に得るようにした構成となっている。【選択図】　　　図２
2004140698.tif 000002
【特許請求の範囲】
【請求項１】
連続してロール状に巻かれた転写紙をカットして原稿よりの画像を複写するデジタル複写機であって、前記原稿より読み取った画像を変倍する画像変倍制御手段と、前記原稿よりの画像を複写する際に所望の余白を形成する余白制御手段と、前記原稿よりの画像を回転させて複写する画像回転制御手段とを有し、前記画像変倍制御手段、余白制御手段、及び画像回転制御手段を有機的に複合して制御を行うことにより所望の余白を自動的に得るようにしたことを特徴とするデジタル複写機。
【請求項２】
前記デジタル複写機が、原稿搬送型で転写紙と原稿の搬送可能幅が同じ規格となっており、前記原稿の短い方の辺が搬送最大幅と同じである原稿に対して、その原稿の主走査方向に任意の幅の余白を備えるようにコピーしようとした場合、設定されている変倍処理後の原稿の副走査方向の長さと同じ長さの幅のロール転写紙が選択され、変倍後の原稿画像の主走査方向の幅を計算し、その幅に設定された余白の幅を加算し、その加算結果の長さになるようにロール転写紙をカットし、前記余白を形成するため余白分だけカット転写紙の先端より搬送した後に、読み取った原稿画像を設定変倍処理し、それを所定角度だけ回転させてカット転写紙に書き込みを行うことを特徴とする請求項１に記載のデジタル複写機。
【請求項３】
前記所定回転角度が、９０度あるいは２７０度の何れか１つであることを特徴とする請求項２に記載のデジタル複写機。
【請求項４】
設定されている変倍処理後の原稿の副走査方向の長さと同じ長さの幅のロール給紙が無い場合、コピー動作の不可能がユーザーに通知されることを特徴とする請求項２に記載のデジタル複写機。
【発明の詳細な説明】
【０００１】
【発明の属する技術分野】
この発明は、連続してロール状に巻かれた転写紙をカットして画像を複写（コピー）するデジタル複写機に関し、特に、画像変倍制御、画像回転制御、および余白制御を複合して行って所望の余白を画質を落とさずに自動的に得るようにしたデジタル複写機に関するものである。
【０００２】
【従来の技術】
一般に、最近のデジタル複写機においては、原稿の画像を変倍（縮小・拡大）してコピーする画像変倍制御機能や、所望する場所（上下・左右）に余白を作成するようにコピーする余白制御機能や、原稿の画像を回転（９０度・２７０度）させてコピーする画像回転制御機能を備えたものが提供されている。
【特許文献１】特願平８−２５１３２４号
【特許文献２】特願平８−６５５４４３号
【０００３】
【発明が解決しようとする課題】
しかしながら、前記従来のデジタル複写機においては、前記画像変倍制御機能と余白制御機能と画像回転制御機能を有機的に複合して制御を行う思想がなかったので以下のような状況の下では手間がかかり画質も落ちてしまうという問題点があった。
すなわち、原稿搬送型で転写紙と原稿の搬送可能幅が同じ規格となっているデジタル複写機において、図３に示すように、原稿の短い方の辺Ａが搬送最大幅と同じである原稿に対して、その原稿の左右に任意の幅の余白を備えるようにコピーしようとした場合、原稿の画像を縮小して横向きに回転させるようにする方法（図３の下方に示す）が一番良いが、それを達成するためには、従来では、原稿の長い方の辺Ｂが前記最大搬送幅に合うような倍率（この場合７１％）にユーザーが一旦コピーし、そこでコピーされた転写紙を原稿として今度は横向きにしてもう一度コピーして図３の下方に示すような左右に任意の幅の余白を備えた出力画像を得るようにしていた。
従って、前記従来技術では、ユーザーの手間と時間がかかるだけではなく、一旦コピーした画像を原稿としてさらにコピーするので出力画像の画質が著しく低下するものであった。
本発明の目的は、画像変倍制御機能と余白制御機能と画像回転制御機能を有機的に複合して制御を行うことにより複写画像に所望の余白を画質を落とさずに自動的に得るようにしたデジタル複写機を提供することである。
【０００４】
【課題を解決するための手段】
上述の目的を達成するために、請求項１記載の発明は、連続してロール状に巻かれた転写紙をカットして原稿よりの画像を複写するデジタル複写機であって、前記原稿より読み取った画像を変倍する画像変倍制御手段と、前記原稿よりの画像を複写する際に所望の余白を形成する余白制御手段と、前記原稿よりの画像を回転させて複写する画像回転制御手段とを有し、前記画像変倍制御手段、余白制御手段、及び画像回転制御手段を有機的に複合して制御を行うことにより所望の余白を自動的に得るようにしたことを特徴とする。
したがって、複写画像に所望の余白を画質を落とさずに自動的に得ることができるようになる。
また、請求項２記載の発明は、請求項１に記載のデジタル複写機が、原稿搬送型で転写紙と原稿の搬送可能幅が同じ規格となっており、前記原稿の短い方の辺が搬送最大幅と同じである原稿に対して、その原稿の主走査方向に任意の幅の余白を備えるようにコピーしようとした場合、設定されている変倍処理後の原稿の副走査方向の長さと同じ長さの幅のロール転写紙が選択され、変倍後の原稿画像の主走査方向の幅を計算し、その幅に設定された余白の幅を加算し、その加算結果の長さになるようにロール転写紙をカットし、前記余白を形成するため余白分だけカット転写紙の先端より搬送した後に、読み取った原稿画像を設定変倍処理し、それを所定角度だけ回転させてカット転写紙に書き込みを行うことを特徴とする。
したがって、複写画像に所望の余白を画質を落とさずに自動的に得ることができるようになる。
また、請求項３記載の発明は、請求項２に記載のデジタル複写機において、前記所定回転角度が、９０度あるいは２７０度の何れか１つであることをことを特徴とする。
また、請求項４記載の発明は、請求項２に記載のデジタル複写機において、設定されている変倍処理後の原稿の副走査方向の長さと同じ長さの幅のロール給紙が無い場合、コピー動作の不可能がユーザーに通知されることを特徴とする。
したがって、複写画像に所望しない余白の形成されることがない。
【０００５】
【発明の実施の形態】
以下に添付の図を参照してこの発明の実施形態を詳細に説明する。
図１は、本発明によるデジタル複写機の一実施形態の概略ブロック図である。図１に示すように、このデジタル複写機１は、幅の異なる複数種類の連続するロール転写紙の収納されたロール給紙段を有するロール給紙部３と、余白量および余白場所および自動用紙選択および複写枚数および変倍率等を指定するための操作部５と、原稿のサイズを検知するための原稿サイズ検知部７と、原稿から画像を読み取るためのスキャナー９と、スキャナー９で読み取った画像に関し画像変倍処理や余白制御処理や画像回転処理等を後述するように複合して行うための画像制御部１１と、画像制御部１１からの画像および指示に基づいてロール給紙部３よりの連続したロール転写紙を任意の長さにカットした後にカット転写紙に画像を形成するプロッター１３と、自動用紙選択機能が選択されている場合にロール給紙段を選択する自動用紙選択部１５とを有している。また、画像制御部１１には、原稿の画像を記憶するための画像メモリ１７が接続されている。
次に、図１に示されたデジタル複写機の動作について図２のフローチャートを参照して説明する。
図２は、図１に示されたデジタル複写機の動作フローチャートである。
まず、実際のコピー動作前に、予めユーザーによる各種の設定が操作部５を介して行われる。すなわち、ユーザーが変倍した原稿に対して、主走査方向または副走査方向の何れか任意の方向へ、任意の余白量を付けてコピーを行いたい場合、まずユーザーが操作部５にて主走査方向（左右方向）または副走査方向（上下方向）のどちらに余白を付けたいのかを設定し、その後、ユーザーは設定した方向の余白量を操作部５にて設定する。また、ユーザーは同時に自動給紙段設定の設定、または手動で給紙段の設定を行う。
また、このコピー動作では、本発明の効果を明確にするために、原稿搬送型で転写紙と原稿の搬送可能幅が同じ規格となっているデジタル複写機において、図３に示すように、原稿の短い方の辺Ａが搬送最大幅と同じである原稿に対して、その原稿の左右（主走査方向）に任意の幅の余白を備えるようにコピーしようとした場合について説明する。
【０００６】
まず、図２のステップ１０１において、画像制御部１１において原稿に対し変倍率が設定されているか否かが判定され、原稿に対し変倍率が設定されている場合、ステップ１０３において、原稿に対し左右に余白が設定されているか否かが判定され、原稿に対し左右に余白が設定されている場合、ステップ１０５において、自動用紙選択が選択されているか否かが判定される。なお、前記ステップ１０１、１０３において、原稿に対し変倍率が設定されていない場合および原稿に対し左右に余白が設定されていない場合には、既存のコピー動作が行われる（ステップ１０７，１０９）。
次に、前記ステップ１０５において、自動用紙選択が選択されている場合、ステップ１１１において、画像制御部１１において設定されている変倍処理後の原稿の副走査方向の長さと同じ長さの幅のロール給紙がセットされているか否かを検索し、原稿の副走査方向の長さと同じ長さの幅のロール給紙がセットされている場合、ステップ１１３において、自動用紙選択部１５においてそのロール給紙段が選択され、給紙動作が開始される。
なお、前記ステップ１０５において、自動用紙選択が選択されていない場合（手動で用紙選択がなされている場合）、ステップ１１３において、そのロール給紙段が選択され、給紙動作が開始され、前記ステップ１１１において、設定されている変倍処理後の原稿の副走査方向の長さと同じ長さの幅のロール給紙がセットされていない場合、ステップ１１５において、コピー動作のＮＧ（不可能）がユーザーに通知される。従って、複写画像に所望しない余白の形成されることがない。
次に、前記ステップ１１３において給紙が開始されると、ステップ１１７において、画像制御部１１は、変倍後の原稿画像の主走査方向の幅を計算し、その幅に設定された余白の幅を加算し、その加算結果の長さになるようにロール給紙をカットする。そして、ステップ１１９、１２１において、画像制御部１１は、前記余白を形成するため余白分だけカット給紙の先端より搬送した後に、読み取った原稿画像を設定変倍処理し、それを９０度だけ時計回り（右回り）に回転させて書き込みを行う。なお、前記画像の回転は、時計回りだけではなく逆時計回り（左回り）でも良く、前記画像の回転角度は、９０度だけではなく２７０度でも良い。ただ、前記２７０度の回転の場合、画像の上下が９０度の場合と逆になる。
なお、原稿搬送型で転写紙と原稿の搬送可能幅が同じ規格となっているデジタル複写機において、原稿の画像を変倍し、その原稿の上下（副主走査方向）に任意の幅の余白を備えるようにコピーしようとした場合には通常の余白実現方法により余白が作成される。
【０００７】
【発明の効果】
以上の説明から理解されるように、本発明によれば、原稿搬送型で転写紙と原稿の搬送可能幅が同じ規格となっているデジタル複写機において、原稿の短い方の辺Ａが搬送最大幅と同じである原稿に対して、その原稿の左右（主走査方向）に任意の幅の余白を備えるようにコピーしようとした場合にも、画像変倍制御機能と余白制御機能と画像回転制御機能を有機的に複合して制御を行うことにより所望の余白を画質を落とさずに自動的に得ることができる。
【図面の簡単な説明】
【図１】本発明によるデジタル複写機の一実施形態の概略ブロック図である。
【図２】図１に示されたデジタル複写機の動作フローチャートである。
【図３】原稿の左右に任意の幅の余白を備えるようにコピーしようとした場合の説明図である。
【符号の説明】
１　デジタル複写機、３　ロール給紙部、５　操作部、７　原稿サイズ検知センサ、９　スキャナー、１１　画像制御部、１３　プロッター、１５　自動用紙選択部、１７　画像メモリ
【図１】
2004140698.tif 000003
【図２】
2004140698.tif 000004
【図３】
2004140698.tif 000005